(57)【要約】      （修正有）【課題】内容物を容易に冷却（保冷）することを可能する多機能フィルム袋を提供する。【解決手段】多機能フィルム袋は、袋体１を含み、当該袋体１にサンドイッチ層が設けられ、サンドイッチ層内に冷却剤２が設けられる。袋体１は、第１フィルム層４１と、第２フィルム層４２と、第３フィルム層４３と、第４フィルム層４４とを含んでいる。第１フィルム層４１、第２フィルム層４２、第３フィルム層４３および第４フィルム層４４は、この順に重ねられ、隣接するフィルム層同士が外周部において圧着されることにより、袋体１を構成している。また、第１フィルム層４１と第２フィルム層４２とが、飲料などの液体を保持するための保持部５９を構成している。一方、第３フィルム層４３と第４フィルム層４４とが、冷却剤２を保持するためのサンドイッチ層５１を構成している。このサンドイッチ層５１内に冷却剤２が充填されている。【選択図】図５
0003184216.tif 000002
【実用新案登録請求の範囲】
【請求項１】
袋体を含む多機能フィルム袋であって、前記袋体にサンドイッチ層が設けられ、サンドイッチ層内に冷却剤が設けられることを特徴とする、多機能フィルム袋。
【請求項２】
前記袋体上に吸口が設けられ、吸口は、吸口ベース、吸口ベース上に回転設置される吸口蓋、及び吸口蓋端部の出水口に嵌設される上下摺動可能な出水蓋を含んでなり、吸口上に吸口カバーが更に嵌設されることを特徴とする、請求項１に記載の多機能フィルム袋。
【請求項３】
前記袋体の外側周縁表面に、袋体を貫通する袋孔が設けられ、袋孔に懸架フックを懸架設置可能であることを特徴とする、請求項１または２に記載の多機能フィルム袋。
【請求項４】
前記袋体上に袋口が設けられ、袋口部位周縁の袋体にはサンドイッチ層を設けないことを特徴とする、請求項１〜３のいずれか１項に記載の多機能フィルム袋。
【請求項５】
前記袋口の内側に、ジッパーが設けられることを特徴とする、請求項４に記載の多機能フィルム袋。
【請求項６】
前記袋体上に、少なくとも１つの導管が設けられることを特徴とする、請求項１〜５のいずれか１項に記載の多機能フィルム袋。
【請求項７】
前記袋体上に、採血針が更に設けられることを特徴とする、請求項６に記載の多機能フィルム袋。
【請求項８】
前記サンドイッチ層には、直線状に延在し、前記冷却剤の侵入を阻害することにより前記サンドイッチ層の屈曲を容易にする屈曲部が形成されている、請求項１〜３のいずれか１項に記載の多機能フィルム袋。
【請求項９】
前記屈曲部は複数形成されている、請求項８に記載の多機能フィルム袋。
【請求項１０】
複数の前記屈曲部のうち一の屈曲部は他の屈曲部に沿った方向に延在するように形成されている、請求項９に記載の多機能フィルム袋。
【請求項１１】
前記屈曲部には、前記屈曲部を挟むように位置する一方の前記サンドイッチ層から他方の前記サンドイッチ層への前記冷却剤の移動を可能とする連通部が形成されている、請求項８〜１０のいずれか１項に記載の多機能フィルム袋。
【請求項１２】
前記連通部の、前記多機能フィルム袋を構成するフィルムの厚さ方向における厚みは、前記一方のサンドイッチ層および前記他方のサンドイッチ層の前記方向における厚みよりも小さい、請求項１１に記載の多機能フィルム袋。
【考案の詳細な説明】
【技術分野】
【０００１】
本考案は多機能フィルム袋に関するものであり、特にサンドイッチ層が設けられるとともに、サンドイッチ層内に冷却剤が設けられるフィルム袋に関するものである。
【背景技術】
【０００２】
現在、市場においてフィルムを用いて作製された袋体の応用範囲は非常に広く、折畳みボトルとして用いられる場合があり、更に血漿袋として用いられる場合もある。
【０００３】
フィルム袋の一例として、吸い口付きのフィルム袋（スパウト付きパウチ容器）を挙げることができる（たとえば、特許文献１参照）。
【先行技術文献】
【特許文献】
【０００４】
【特許文献１】特開２００５−１４５４８２号公報
【考案の概要】
【考案が解決しようとする課題】
【０００５】
折畳みボトル、血漿袋について述べると、それらの役割はフィルム袋内に水、血漿を保存することであるが、機能は比較的単一で、折畳みボトルの場合は、一般に野外での使用に適しており、主に携帯には便利であるが、夏季に人々が冷たい飲物を好んで飲むことにより体温を下げ、イライラ感を解消しようする際、現在の折畳みボトルは水を降温する機能を備えていない。血漿袋のように血漿を採集した後に低温で保存する必要がある場合は、一般にいずれも冷凍庫内で保管されるが、長時間にわたる停電に遭遇し、更には予備電源が使用できない場合は、血漿の品質が影響を受け、また、血漿を冷凍庫内から取り出して遠隔地に搬送する際、その過程において、交通渋滞、タイヤのパンクなどの事態に遭遇した場合にも、血漿の品質が影響を受ける。
【０００６】
かつ、現状では、一部の人体器官も搬送過程において、フィルム袋内に保管され、更にフィルム袋が氷の詰まったボックス内に配置されるが、この場合もやはりボックス内の氷により低温を維持する必要があり、氷がなくなった後には比較的良好な昇温を防止する措置は施されていない。
【０００７】
夏季に人々は冷たい飲物、例えばビール、赤ワイン、その他炭酸飲料などを比較的好んで飲むが、これらの飲料品を冷蔵庫から取り出した後、条件が整っている場合は、氷が入った鉄製容器を準備し、飲料品を氷中に配置すると、比較的ゆったりと飲料品を味わうことができるが、必要とする氷は予め氷結させる必要があり、鉄製容器も予め購入しておく必要があるため、比較的面倒である。
【０００８】
上記の点に鑑み、本考案の目的は、上記問題の不足点を解決するために多機能フィルム袋を提供することにある。
【課題を解決するための手段】
【０００９】
本考案に従った多機能フィルム袋は、袋体を含み、当該袋体にサンドイッチ層が設けられ、サンドイッチ層内に冷却剤が設けられることを特徴とする。
【００１０】
袋体上に吸口が設けられ、吸口は、吸口ベース、吸口ベース上に回転設置される吸口蓋、及び吸口蓋端部の出水口に嵌設される上下摺動可能な出水蓋を含んでなり、吸口上に吸口カバーが更に嵌設されてもよい。
【００１１】
袋体の外側周縁表面に、袋体を貫通する袋孔が設けられ、袋孔に懸架フックを懸架設置可能であってもよい。
【００１２】
袋体上に袋口が設けられ、袋口部位周縁の袋体にはサンドイッチ層を設けないものであってもよい。
【００１３】
袋口の内側に、ジッパーが設けられてもよい。
【００１４】
袋体上に、少なくとも１つの導管が設けられてもよい。
【００１５】
袋体上に、採血針が更に設けられてもよい。
【００１６】
上記多機能フィルム袋においては、上記サンドイッチ層には、直線状に延在し、冷却剤の侵入を阻害することによりサンドイッチ層の屈曲を容易にする屈曲部が形成されていてもよい。これにより、屈曲部に沿って多機能フィルム袋を屈曲させることが容易となり、たとえば袋体内に液体などの内容物が保持されていない場合には、多機能フィルム袋を折り畳んでコンパクト化することが容易となる。
【００１７】
上記多機能フィルム袋においては、上記屈曲部は複数形成されていてもよい。これにより、多機能フィルム袋を折り畳んでコンパクト化することが一層容易となる。
【００１８】
上記多機能フィルム袋においては、複数の上記屈曲部のうち一の屈曲部は他の屈曲部に沿った方向に延在するように形成されていてもよい。これにより、多機能フィルム袋を折り畳んでコンパクト化することが一層容易となる。
【００１９】
上記多機能フィルム袋においては、屈曲部には、当該屈曲部を挟むように位置する一方のサンドイッチ層から他方のサンドイッチ層への冷却剤の移動を可能とする連通部が形成されていてもよい。これにより、屈曲部を設けた場合でも、サンドイッチ層への冷却剤の充填が容易となる。
【００２０】
上記多機能フィルム袋においては、上記連通部の、多機能フィルム袋を構成するフィルムの厚さ方向における厚みは、上記一方のサンドイッチ層および上記他方のサンドイッチ層の上記方向における厚みよりも小さくなっていてもよい。これにより、連通部が屈曲部における多機能フィルム袋の屈曲の妨げとなることを抑制することができる。
【考案の効果】
【００２１】
本考案の有益な効果は以下の通りである。
【００２２】
上記の構造を採用した多機能フィルム袋は、現有技術に比べ、袋体にサンドイッチ層が設けられ、サンドイッチ層内に冷却剤が設けられ、袋体上に吸口が設けられるため、袋内に装入された水は自動的な降温作用を発揮可能であり、レクリエーションの必需品である。
【００２３】
現有技術に比べ、袋体にサンドイッチ層が設けられ、サンドイッチ層内に冷却剤が設けられ、袋体上に導管または採血針が設けられるため、採血または血液の貯留時には、血液を降温可能であるとともに、使用時または外界環境の変化時には、血漿に対して非常に良好な品質保持作用を発揮する。
【００２４】
現有技術に比べ、袋体にサンドイッチ層が設けられ、サンドイッチ層内に冷却剤が設けられ、袋体上に袋口が設けられ、袋口部位周縁の袋体にはサンドイッチ層が設けられないため、袋内に飲料品を封入可能であり、夏季に冷たい飲物を飲用する際には、長時間にわたって低温状態を保持することができ、事前に氷を準備し、鉄製容器を購入しておく面倒から解放される。
【００２５】
現有技術に比べ、袋体にサンドイッチ層が設けられ、サンドイッチ層内に冷却剤が設けられ、袋口の内側にジッパーが設けられるため、飲料品の低温保存または販売する際の外包装とすることができ、飲料品のグレードがアップする。
【図面の簡単な説明】
【００２６】
【図１】多機能フィルム袋の構造を示す図である。
【図２】多機能フィルム袋の構造を示す図である。
【図３】多機能フィルム袋の構造を示す図である。
【図４】多機能フィルム袋の構造を示す図である。
【図５】図１の線分Ｖ−Ｖに沿う断面の一例を示す概略断面図である。
【図６】袋体の構造の他の一例を示す概略断面図である。
【図７】多機能フィルム袋の構造を示す図である。
【図８】多機能フィルム袋の構造を示す図である。
【図９】図７の線分ＩＸ−ＩＸに沿う断面の一例を示す概略断面図である。
【図１０】図７の線分Ｘ−Ｘに沿う断面の一例を示す概略断面図である。
【図１１】多機能フィルム袋の構造を示す図である。
【考案を実施するための形態】
【００２７】
以下、図面を参照して本考案の実施の形態について説明する。なお、以下の図面において同一または相当する部分には同一の参照番号を付し、その説明は繰り返さない。
【００２８】
（実施の形態１）
図１を参照して、多機能フィルム袋は、袋体１を含み、袋体１にサンドイッチ層が設けられ、サンドイッチ層内に冷却剤２が設けられる。袋体１上に吸口３が設けられ、吸口３は、吸口ベース３１、吸口ベース３１上に回転設置される吸口蓋３２、及び吸口蓋３２の端部出水口（図内未表示）に嵌設されて上下に摺動可能な出水蓋３３を含んでなり、吸口３上に吸口カバー３４が更に嵌設される。前記冷却剤２は、固体、液体または気体である。
【００２９】
使用時には、吸口蓋３２を吸口ベース３１上から回して取り外し、ポット内で低温の水を吸口ベース３１上の入口から取り入れるか、または、野外では、小川または池から取水し、更に吸口蓋３２を吸口ベース３１上で回転させ、吸口蓋３２及び吸口ベース３１は係合挿入方式を採用して接続することもでき、吸口カバー３４も延伸ストリップを用い、延伸ストリップの末端にリングを設けて吸口ベース３１の下端に嵌設すると、水を飲む際は、吸口カバー３４を取り外すだけで、出水蓋３３が上向きに引き抜かれる。
【００３０】
前記吸口３は、更に栓付きの蛇口により構成することができる。
【００３１】
（実施の形態２）
図２を参照して、本実施の形態における多機能フィルム袋は、実施の形態１において、袋体１の外側周縁表面に袋体１を貫通する袋孔４が設けられ、袋孔４に懸架フック（図内未表示）を懸架可能である。使用時には、懸架フックにより袋体１をナップザックまたはその他物体上に固定することができ、複数の袋体１を懸架フック（図内未表示）により１つに直列接続することもでき、袋体１の使用は更に簡便となる。
【００３２】
（実施の形態３）
図３を参照して、本実施の形態における多機能フィルム袋は、袋体１を含み、袋体１にサンドイッチ層が設けられ、サンドイッチ層内に冷却剤２が設けられ、冷却剤２は、固体、液体または気体である。袋体上に袋口が設けられ、袋口部位周縁の袋体１にはサンドイッチ層が設けられていない。それにより袋中に飲料品、例えばビール、赤ワイン、またはその他炭酸飲料などを装入することができ、使用時には、袋体１を一定時間冷蔵庫に入れると、冷却剤２が冷気を吸収することができ、飲料品を飲む際は、飲料品を冷蔵庫内から袋体１と共に取り出し、その後、飲料品を袋体１中に装入しておくと、カップ中の飲料品を飲み終わった際には、自ら飲料品を袋体１中から取り出してカップに注ぐだけでよい。
【００３３】
（実施の形態４）
図４を参照して、本実施の形態における多機能フィルム袋は、飲料品を長期にわたって保存する際または販売する際に、飲料品の外包装とすることができ、飲料品のグレードがアップする。
【００３４】
（実施の形態５）
多機能フィルム袋は、袋体１を含み、袋体１にサンドイッチ層が設けられ、サンドイッチ層内に冷却剤２が設けられ、冷却剤２は、固体、液体または気体であり、袋体上に少なくとも１つの導管が設けられ、袋体上に採血針が更に設けられる。使用時には、導管を介して袋体１内に貯留されている血漿を送出するか、または採血針を介して、献血者の血液を採集することができ、サンドイッチ層内の冷却剤２はいずれの場合も袋体１内の血漿または血液の品質を保持することができる。
【００３５】
（実施の形態６）
図５は、本考案のサンドイッチ層内における冷却剤の配置および袋体の構造の一例を示すものであって、図１に示す多機能フィルム袋の線分Ｖ−Ｖに沿う断面の一例を示している。図５を参照して、本実施の形態における多機能フィルム袋の袋体１は、第１フィルム層４１と、第２フィルム層４２と、第３フィルム層４３と、第４フィルム層４４とを含んでいる。第１フィルム層４１、第２フィルム層４２、第３フィルム層４３および第４フィルム層４４は、この順に重ねられ、隣接するフィルム層同士が外周部において圧着されることにより、袋体１を構成している。また、第１フィルム層４１と第２フィルム層４２とが、飲料などの液体を保持するための保持部５９を構成している。より具体的には、第１フィルム層４１と第２フィルム層４２とにより取り囲まれた領域が、保持部５９である。一方、第３フィルム層４３と第４フィルム層４４とが、冷却剤２を保持するためのサンドイッチ層５１を構成している。つまり、第３フィルム層４３と第４フィルム層４４とにより取り囲まれた領域がサンドイッチ層５１であって、このサンドイッチ層５１内に冷却剤２が充填されている。第２フィルム層４２と第３フィルム層４３とは、全域にわたって圧着されている。これにより、サンドイッチ層５１内の冷却剤２は、保持部５９内に保持された飲料などの液体に対して第２フィルム層４２および第３フィルム層４３を挟んで位置する。その結果、保持部５９内の液体は、冷却剤２によって効率的に冷却（保冷）される。
【００３６】
第１フィルム層４１、第２フィルム層４２、第３フィルム層４３および第４フィルム層４４を構成する材料としては、可撓性を有する材料、たとえばポリエチレンテレフタレート、ポリエチレン、ナイロンなどを採用することができる。また、冷却剤２としては、たとえばジェル状の保冷剤を使用することができる。
【００３７】
次に、本実施の形態の変形例について説明する。図６に示す多機能フィルム袋は、基本的には図５に示す多機能フィルム袋と同様の構造を有し、同様の効果を奏する。しかし、図６に示す多機能フィルム袋は、図５に示す多機能フィルム袋とサンドイッチ層５１の配置において異なっている。
【００３８】
具体的には、図５に示す多機能フィルム袋においては、サンドイッチ層５１が保持部５９の一方側のみに配置されているのに対し、図６に示す多機能フィルム袋においては、サンドイッチ層５１が保持部５９の両側に配置されている。より詳細に説明すると、図６に示す多機能フィルム袋は、図５に示す多機能フィルム袋に加えて、さらに第５フィルム層４５および第６フィルム層４６を含んでいる。第５フィルム層４５と第６フィルム層４６とが、冷却剤２を保持するためのサンドイッチ層５１を構成している。また、第５フィルム層４５と第１フィルム層４１とは、全域にわたって圧着されている。このように、保持部５９がサンドイッチ層５１に挟まれた構造を有することにより、図６の多機能フィルム袋は、非常に効率よく飲料などの内容物を保冷することができる。一方、図５の多機能フィルム袋は、サンドイッチ層５１が保持部５９の一方側のみに配置されることにより、たとえば保持部５９に内容物が保持されていない状態、すなわち不使用の状態においては、折り畳む等してコンパクト化することが容易となっている。
【００３９】
（実施の形態７）
図７〜図１０を参照して、本考案の他の実施の形態である実施の形態７について説明する。実施の形態７における多機能フィルム袋は、図１および図２に基づいて説明した上記実施の形態１および２における多機能フィルム袋と基本的には同様の構成を有し、同様の効果を奏する。しかし、本実施の形態における多機能フィルム袋は、以下に説明するように、サンドイッチ層５１の構造にさらなる特徴を有している。
【００４０】
図７および図８を参照して、本実施の形態の多機能フィルム袋のサンドイッチ層５１には、直線状に延在し、冷却剤２の侵入を阻害することによりサンドイッチ層５１の屈曲を容易にする屈曲部５２が形成されている。これにより、屈曲部５２において多機能フィルム袋を屈曲させることが容易となっている。その結果、本実施の形態の多機能フィルム袋は、不使用時に折り畳んでコンパクト化することが容易となっている。
【００４１】
屈曲部５２は、１つのみであってもよいが、本実施の形態においては、複数（ここでは２つ）形成されている。これにより、多機能フィルム袋を折り畳んでコンパクト化することが一層容易となっている。また、本実施の形態においては、２つの屈曲部５２のうち一方の屈曲部５２が他方の屈曲部５２に沿った方向に延在するように形成されている。これにより、本実施の形態の多機能フィルム袋は、長手方向に沿った２つの屈曲部５２において多機能フィルム袋を折り畳み、細長い形状とすることが可能となっている。その結果、本実施の形態の多機能フィルム袋は、狭いスペースに配置することが容易となっており、携帯や収納に便利である。
【００４２】
図７および図８に示すように、屈曲部５２は、屈曲部５２の長手方向に沿って延在するとともに、当該長手方向に沿って並べて配置された圧着部５３と、隣り合う圧着部５３の間に形成された連通部５４とから構成されている。
【００４３】
図１０に示すように、圧着部５３においては、第３フィルム層４３と第４フィルム層４４とが圧着されている。そのため、圧着部５３には、冷却剤２が侵入しない。その結果、屈曲部５２において多機能フィルム袋を屈曲させることが容易となっている。一方、連通部５４は、図９に示すように、屈曲部５２を挟むように位置する一方のサンドイッチ層５１から他方のサンドイッチ層５１への冷却剤２の移動を可能とするように形成されている。より具体的には、連通部５４においては第３フィルム層４３と第４フィルム層４４とが圧着されていない。そのため、連通部５４には冷却剤２が侵入することが可能となっている。これにより、屈曲部５２を設けた場合でも、サンドイッチ層５１への冷却剤２の適切な充填が容易となる。すなわち、連通部５４において、屈曲部５２を挟むように位置する一方のサンドイッチ層５１から他方のサンドイッチ層５１への冷却剤２の移動が可能となっているため、たとえば図７を参照して、屈曲部５２を挟むように位置する一方のサンドイッチ層５１に充填された冷却剤２の量が他方のサンドイッチ層５１に充填された冷却剤２の量よりも多い場合、連通部５４を介して一方のサンドイッチ層５１から他方のサンドイッチ層５１へと冷却剤２が容易に移動する。そのため、冷却剤２がサンドイッチ層５１に適切なバランスで充填される。
【００４４】
さらに、本実施の形態の多機能フィルム袋においては、図９に示すように、連通部５４の、多機能フィルム袋を構成するフィルムの厚さ方向における厚み（図９における連通部５４の厚み）は、屈曲部５２（連通部５４）を挟むように位置する一方のサンドイッチ層５１および他方のサンドイッチ層５１の当該方向における厚みよりも小さくなっている。より具体的には、フィルムの厚さ方向における断面において、連通部５４内の冷却剤２の厚みは、連通部５４を挟むように位置する一方のサンドイッチ層５１および他方のサンドイッチ層５１における冷却剤２の厚みよりも小さくなっている。これにより、連通部５４が屈曲部５２における多機能フィルム袋の屈曲の妨げとなることが抑制されている。
【００４５】
（実施の形態８）
次に、図１１を参照して、本考案のさらに他の実施の形態である実施の形態８について説明する。実施の形態８における多機能フィルム袋は、図７〜図１０に基づいて説明した上記実施の形態７における多機能フィルム袋と基本的には同様の構成を有し、同様の効果を奏する。しかし、本実施の形態における多機能フィルム袋は、以下に説明するように、サンドイッチ層５１の構造にさらなる特徴を有している。
【００４６】
図１１を参照して、本実施の形態においては、一の屈曲部５２は、他の屈曲部５２に交差する方向に延在するように形成されている。より具体的には、一の屈曲部５２は、他の屈曲部５２に直交する方向に延在するように形成されている。このように、図７に示す屈曲部５２に加えて、これらに交差する方向に延在する屈曲部５２がさらに形成されていることにより、本実施の形態における多機能フィルム袋は、一層コンパクトに折り畳むことが可能となっている。
【００４７】
今回開示された実施の形態はすべての点で例示であって、制限的なものではないと理解されるべきである。本考案の範囲は上記した説明ではなく、実用新案登録請求の範囲によって示された範囲、そして実用新案登録請求の範囲と均等な意味および範囲内でのすべての変更、改良が含まれることが意図される。
【産業上の利用可能性】
【００４８】
本考案の多機能フィルム袋は、内容物を冷却（保冷）することが求められるフィルム袋に、特に有利に適用され得る。
【符号の説明】
【００４９】
１  袋体、２  冷却剤、３  吸口、３１  吸口ベース、３２  吸口蓋、３３  出水蓋、３４  吸口カバー、４  袋孔、４１  第１フィルム層、４２  第２フィルム層、４３  第３フィルム層、４４  第４フィルム層、４５  第５フィルム層、４６  第６フィルム層、５  ジッパー、５１  サンドイッチ層、５２  屈曲部、５３  圧着部、５４  連通部、５９  保持部。
【図１】
0003184216.tif 000003
【図２】
0003184216.tif 000004
【図３】
0003184216.tif 000005
【図４】
0003184216.tif 000006
【図５】
0003184216.tif 000007
【図６】
0003184216.tif 000008
【図７】
0003184216.tif 000009
【図８】
0003184216.tif 000010
【図９】
0003184216.tif 000011
【図１０】
0003184216.tif 000012
【図１１】
0003184216.tif 000013